(57)【特許請求の範囲】
【請求項１】
対象空間（ＳＰ、ＳＰ１、ＳＰ２）に設置される第１室内機（３０ａ、３０ｂ、３０ｃ、７５、８０、９０）、を含む複数の空調室内機（３０、７５、８０、９０）と、
複数の前記空調室内機の動作を制御するコントローラ（６０、６０ａ）と、
前記対象空間における冷媒漏洩を検知する冷媒漏洩センサ（５５）と、
を備え、
各前記空調室内機は、送風機（３３、７６、８１、９５）を有し、
前記コントローラは、前記冷媒漏洩センサが冷媒漏洩を検知した場合、前記第１室内機の前記送風機を所定の第１回転数で駆動させるとともに、前記第１室内機以外の前記空調室内機の前記送風機を所定の第２回転数で駆動させ、
冷媒漏洩が生じた際に前記送風機を駆動させる前記空調室内機、を指定するコマンドをユーザによって入力されるリモコン（５０）をさらに備え、
前記コントローラは、前記冷媒漏洩センサが冷媒漏洩を検知した場合、前記コマンドにおいて指定される前記空調室内機の前記送風機を駆動させる、
空調システム（１００、１００ａ、１００ｂ、１００ｃ）。
【請求項２】
対象空間（ＳＰ、ＳＰ１、ＳＰ２）に設置される第１室内機（３０ａ、３０ｂ、３０ｃ、７５、８０、９０）、を含む複数の空調室内機（３０、７５、８０、９０）と、
複数の前記空調室内機の動作を制御するコントローラ（６０、６０ａ）と、
前記対象空間における冷媒漏洩を検知する冷媒漏洩センサ（５５）と、
を備え、
各前記空調室内機は、送風機（３３、７６、８１、９５）を有し、
前記コントローラは、前記冷媒漏洩センサが冷媒漏洩を検知した場合、前記第１室内機の前記送風機を所定の第１回転数で駆動させるとともに、前記第１室内機以外の前記空調室内機の前記送風機を所定の第２回転数で駆動させ、
ユーザによって機械的に切り換えられることで、冷媒漏洩が生じた際に前記送風機を駆動させる前記空調室内機、を決定する切換部（３４１）をさらに備え、
前記コントローラは、前記冷媒漏洩センサが冷媒漏洩を検知した場合、前記切換部において決定された前記空調室内機の前記送風機を駆動させる、
空調システム（１００、１００ａ、１００ｂ、１００ｃ）。
【請求項３】
前記対象空間外に配置される室外機（１０、１０ａ、１０ｂ）をさらに備え、
前記第１室内機を含む複数の前記空調室内機は、冷媒連絡配管（ＧＰ、ＬＰ、ＧＰ１、ＬＰ１、ＧＰ２、ＬＰ２）を介して前記室外機と接続され、前記室外機とともに冷媒回路（ＲＣ、ＲＣ１、ＲＣ２、ＲＣ´）を構成する、
請求項１又は２に記載の空調システム（１００、１００ａ、１００ｂ、１００ｃ）。
【請求項４】
冷媒の凝縮器又は蒸発器として機能する室外熱交換器（１３）を含む、第１室外機（１０ａ、１０ｂ）及び第２室外機（１０ａ、１０ｂ）をさらに備え、
前記第１室内機は、第１冷媒連絡配管（ＧＰ１、ＬＰ１、ＧＰ２、ＬＰ２）を介して前記第１室外機と接続され、前記第１室外機とともに第１冷媒回路（ＲＣ１、ＲＣ２）を構成し、
前記第１室内機以外の前記空調室内機は、第２冷媒連絡配管（ＧＰ１、ＬＰ１、ＧＰ２、ＬＰ２）を介して前記第２室外機と接続され、前記第２室外機とともに第２冷媒回路（ＲＣ１、ＲＣ２）を構成する、
請求項１から３のいずれか１項に記載の空調システム（１００ｂ）。
【発明の詳細な説明】
【技術分野】
【０００１】
本発明は、空調システムに関する。
【背景技術】
【０００２】
従来、冷媒回路を構成する空調室内機であって、対象空間に漏洩した冷媒（漏洩冷媒）を検知する冷媒漏洩センサを有し、冷媒漏洩が生じた場合には漏洩冷媒を拡散させるべく送風機を強制運転させる空調室内機が提案されている。例えば、特許文献１（特開２０１２−１３３４８）に開示される空調室内機では、対象空間の温度分布状況を検知する温度センサを有し、冷媒漏洩センサが冷媒漏洩を検知した場合には、送風機を駆動させるとともに、高温領域における漏洩冷媒の滞留等を抑制すべく高温領域以外の領域へ風向を調整するように構成されている。
【発明の概要】
【発明が解決しようとする課題】
【０００３】
しかし、特許文献１によると、空調室内機の設置態様や対象空間の大きさによっては漏洩冷媒が適正に拡散されず、保安性が十分に担保されないケースが想定される。例えば、同一の対象空間に複数の空調室内機が配置される場合において、冷媒漏洩を検出した冷媒漏洩センサから信号を出力された空調室内機の送風機を駆動させるのみでは、他の空調室内機の設置位置付近の空間で漏洩冷媒が滞留してその濃度が大きくなることも考えられる。また、冷媒漏洩が生じた対象空間以外の空間にも漏洩冷媒が流入し、係る空間に冷媒漏洩検知センサが配置されていないことも考えられる。これらのケースにおいて、漏洩冷媒が、例えばＲ３２のような微燃性の冷媒、プロパンのような燃焼性を有する冷媒、又は、アンモニアのような毒性を有する冷媒である時には、保安性が担保されない。
【０００４】
そこで、本発明の課題は、保安性に優れた空調システムを提供することである。
【課題を解決するための手段】
【０００５】
本発明の第１観点に係る空調システムは、複数の空調室内機と、コントローラと、冷媒漏洩センサと、を備える。空調室内機は、第１室内機を含む。第１室内機は、対象空間に設置される。コントローラは、複数の空調室内機の動作を制御する。冷媒漏洩センサは、対象空間における冷媒漏洩を検知する。各空調室内機は、送風機を有する。コントローラは、冷媒漏洩センサが冷媒漏洩を検知した場合、第１室内機の送風機を所定の第１回転数で駆動させるとともに、第１室内機以外の空調室内機の送風機を所定の第２回転数で駆動させる。
【０００６】
本発明の第１観点に係る空調システムでは、コントローラは、冷媒漏洩センサが冷媒漏洩を検知した場合、第１室内機の送風機を所定の第１回転数で駆動させるとともに、第１室内機以外の空調室内機の送風機を所定の第２回転数で駆動させる。これにより、対象空間において冷媒漏洩が生じた場合には、第１室内機の送風機が駆動されるのみならず、システムに含まれる他の空調室内機において送風機が所定の回転数で駆動される。その結果、生成された複数の空気流によって、漏洩冷媒が拡散される。このため、対象空間において漏洩冷媒の拡散が促進され、対象空間の一部において漏洩冷媒が滞留することを抑制しうる。すなわち、対象空間の特定部分において漏洩冷媒の濃度が高まることを抑制しうる。また、対象空間以外の空間に漏洩冷媒が流入した場合であっても、係る空間に配置される空調機の送風機を駆動させて漏洩冷媒の拡散を行うことが可能となり、当該空間において漏洩冷媒の濃度が高まることを抑制しうる。したがって、冷媒漏洩に対する保安性に優れる。
【０００７】
なお、ここでの「冷媒回路」において使用される冷媒は、特に限定されないが、例えば、Ｒ３２のような微燃性の冷媒、又は、プロパンのような燃焼性を有する冷媒、又は、アンモニアのような毒性を有する冷媒が想定される。
【０００８】
また、「空調室内機」には、エアコンの室内ユニット、空気清浄機、換気装置、除湿機等、対象空間に設置され送風機を駆動させて空気調和を行う各種装置が含まれる。
【０００９】
また、「第１回転数」と「第２回転数」とは同一の回転数であってもよいし、異なる回転数であってもよい。
【００１０】
本発明の第２観点に係る空調システムは、第１観点に係る空調システムであって、室外機をさらに備える。室外機は、対象空間外に配置される。第１室内機を含む複数の空調室内機は、冷媒連絡配管を介して室外機と接続され、室外機とともに冷媒回路を構成する。これにより、室外機と複数の空調室内機とで冷媒回路を構成する所謂マルチタイプの空調システムにおいて、保安性を確保することが可能となる。
【００１１】
本発明の第３観点に係る空調システムは、第１観点又は第２観点に係る空調システムであって、第１室外機及び第２室外機をさらに備える。第１室外機及び第２室外機は、室外熱交換器を含む。室外熱交換器は、冷媒の凝縮器又は蒸発器として機能する。第１室内機は、第１冷媒連絡配管を介して、第１室外機と接続される。第１室内機は、第１室外機とともに、第１冷媒回路を構成する。第１室内機以外の空調室内機は、第２冷媒連絡配管を介して、第２室外機と接続される。第１室内機以外の空調室内機は、第２室外機とともに、第２冷媒回路を構成する。これにより、複数の冷媒系統を有する空調システムにおいて、保安性を確保することが可能となる。
【００１２】
本発明の第４観点に係る空調システムは、第１観点から第３観点のいずれかに係る空調システムであって、コントローラは、冷媒漏洩センサが冷媒漏洩を検知した場合、対象空間に設置されている空調室内機の送風機を駆動させる。これにより、対象空間において冷媒漏洩が生じた場合には、複数の空調室内機において空気流が生成され、生成された複数の空気流によって漏洩冷媒が拡散される。その結果、対象空間において漏洩冷媒の拡散が促進され、対象空間の一部において漏洩冷媒が滞留することが抑制される。すなわち、対象空間の特定部分において漏洩冷媒の濃度が高まることが抑制される。
【００１３】
本発明の第５観点に係る空調システムは、第１観点から第４観点のいずれかに係る空調システムであって、コントローラは、冷媒漏洩センサが冷媒漏洩を検知した場合、全ての空調室内機の送風機を駆動させる。これにより、対象空間において冷媒漏洩が生じた場合には、全ての空調室内機において空気流が生成され、生成された複数の空気流によって漏洩冷媒が拡散される。その結果、対象空間において漏洩冷媒の拡散が促進され、対象空間の一部において漏洩冷媒が滞留することが抑制される。また、複数の対象空間に空調室内機が配置される場合において、冷媒漏洩が生じた対象空間から他の対象空間に漏洩冷媒が流入した際には、係る他の対象空間において、空調機の送風機が駆動されることで漏洩冷媒の拡散が行われ、漏洩冷媒が滞留することが抑制される。
【００１４】
本発明の第６観点に係る空調システムは、第１観点から第３観点のいずれかに係る空調システムであって、リモコンをさらに備える。リモコンは、冷媒漏洩が生じた際に送風機を駆動させる空調室内機、を指定するコマンドを、ユーザによって入力される。コントローラは、冷媒漏洩センサが冷媒漏洩を検知した場合、コマンドにおいて指定される空調室内機の送風機を駆動させる。これにより、冷媒漏洩時に送風機を駆動させる空調室内機を、設置環境に応じて適宜選択することが可能となる。よって、汎用性に優れる。
【００１５】
本発明の第７観点に係る空調システムは、第１観点から第３観点のいずれかに係る空調システムであって、切換部をさらに備える。切換部は、ユーザによって機械的に切り換えられることで、冷媒漏洩が生じた際に送風機を駆動させる空調室内機、を決定する。コントローラは、冷媒漏洩センサが冷媒漏洩を検知した場合、切換部において決定された空調室内機の送風機を駆動させる。これにより、冷媒漏洩時に送風機を駆動させる空調室内機を、設置環境に応じて適宜選択することが可能となる。よって、汎用性に優れる。
【発明の効果】
【００１６】
本発明の第１観点に係る空調システムでは、対象空間において漏洩冷媒の拡散が促進され、対象空間の一部において漏洩冷媒が滞留することを抑制することが可能となる。すなわち、対象空間の特定部分において漏洩冷媒の濃度が高まることを抑制しうる。また、対象空間以外の空間に漏洩冷媒が流入した場合であっても、係る空間に配置される空調機の送風機を駆動させて漏洩冷媒の拡散を行うことが可能となり、当該空間において漏洩冷媒の濃度が高まることを抑制しうる。したがって、冷媒漏洩に対する保安性に優れる。
【００１７】
本発明の第２観点に係る空調システムでは、室外機と、複数の空調室内機で冷媒回路を構成する所謂マルチタイプの空調システムにおいて、保安性を確保することが可能となる。
【００１８】
本発明の第３観点に係る空調システムでは、複数の冷媒系統を有する空調システムにおいて、保安性を確保することが可能となる。
【００１９】
本発明の第４観点に係る空調システムでは、対象空間の特定部分において漏洩冷媒の濃度が高まることが抑制される。
【００２０】
本発明の第５観点に係る空調システムでは、対象空間において冷媒漏洩が生じた場合には、全ての空調室内機において空気流が生成され、生成された複数の空気流によって漏洩冷媒が拡散される。その結果、対象空間において漏洩冷媒の拡散が促進され、対象空間の一部において漏洩冷媒が滞留することが抑制される。また、複数の対象空間に空調室内機が配置される場合において、冷媒漏洩が生じた対象空間から他の対象空間に漏洩冷媒が流入した際には、係る他の対象空間において、空調機の送風機が駆動されることで漏洩冷媒の拡散が行われ、漏洩冷媒が滞留することが抑制される。
【００２１】
本発明の第６観点に係る空調システムでは、冷媒漏洩時に送風機を駆動させる空調室内機を、設置環境に応じて適宜選択することが可能となる。よって、汎用性に優れる。
【００２２】
本発明の第７観点に係る空調システムでは、これにより、冷媒漏洩時に送風機を駆動させる空調室内機を、設置環境に応じて適宜選択することが可能となる。よって、汎用性に優れる。
【図面の簡単な説明】
【００２３】
【図１】本発明の第１実施形態に係る空調システムの概略構成図。
【図２】室内ユニットの外観斜視図。
【図３】対象空間における各室内ユニットの配置態様を示した模式図。
【図４】フラップの回動によって吹出口が開閉する様子を示した模式図。
【図５】運転時にフラップが回動して空気流が水平方向より下向きの方向に吹き出される様子を示した模式図。
【図６】運転時にフラップが回動して空気流が水平方向より上向きの方向に吹き出される様子を示した模式図。
【図７】コントローラの構成と、コントローラに接続される機器を概略的に示したブロック図。
【図８】各室内ユニットの連動制御（グループ制御）に用いられるグルーピングテーブルの一例を示した模式図。
【図９】コントローラの処理の流れの一例を示したフローチャート。
【図１０】変形例１Ｎに係る各室内ユニットの配置態様を示した模式図。
【図１１】本発明の第２実施形態に係る空調システムの全体構成図。
【図１２】切換部のスイッチを示した模式図。
【図１３】本発明の第３実施形態に係る空調システムの全体構成図。
【図１４】本発明の第４実施形態に係る空調システムの全体構成図。
【図１５】本発明の第４実施形態に係る空調システムにおけるコントローラの構成と、コントローラに接続される機器を概略的に示したブロック図。
【図１６】本発明の第４実施形態におけるグルーピングテーブルの一例を示した模式図。
【発明を実施するための形態】
【００２４】
〈第１実施形態〉
以下、本発明の第１実施形態に係る空調システム１００について説明する。なお、以下の実施形態は、本発明の具体例であって、本発明の技術的範囲を限定するものではなく、本発明の趣旨を逸脱しない範囲で適宜変更可能である。また、以下の実施形態において、上、下、左、右、正面（前）又は背面（後）といった方向は、図２、及び図４から図６に示す方向を意味する。
【００２５】
（１）空調システム１００
図１は、空調システム１００の概略構成図である。空調システム１００は、家屋等の屋内に含まれる対象空間において冷房や暖房等の空気調和を実現するシステムである。
【００２６】
空調システム１００は、冷媒回路ＲＣを含み、冷媒回路ＲＣにおいて冷媒を循環させて蒸気圧縮方式の冷凍サイクルを行うことにより、対象空間ＳＰの冷房又は暖房を行う。空調システム１００は、主として、熱源ユニットとしての１台の室外ユニット１０と、利用ユニットとしての複数（ここでは３台）の室内ユニット３０（３０ａ、３０ｂ、３０ｃ）と、入力装置としての複数のリモコン５０と、複数の冷媒漏洩センサ５５と、複数の冷媒漏洩報知部５８と、コントローラ６０と、を備えている。
【００２７】
空調システム１００では、室外ユニット１０と、各室内ユニット３０と、がガス連絡配管ＧＰ及び液連絡配管ＬＰで接続されることで冷媒回路ＲＣが構成されている。すなわち、空調システム１００は、同一冷媒系統に複数の室内ユニット３０が接続された、いわゆるマルチタイプの空調システムである。冷媒回路ＲＣには、冷媒として、例えば、Ｒ３２のような微燃性を有する冷媒、プロパンのような燃焼性を有する冷媒、又は、アンモニアのような毒性を有する冷媒が封入されている。
【００２８】
（１−１）室外ユニット１０（室外機）
室外ユニット１０は、室外（対象空間ＳＰ外）に設置される。室外ユニット１０は、主として、複数の冷媒配管（第１配管Ｐ１〜第５配管Ｐ５）と、圧縮機１１と、四路切換弁１２と、室外熱交換器１３と、室外ファン１５と、複数の膨張弁１６（１６ａ、１６ｂ及び１６ｃ）と、室外ユニット制御部１７と、を有している。
【００２９】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側といずれかの膨張弁１６とを接続する冷媒配管である。より詳細には、第５配管Ｐ５は、一端が室外熱交換器１３の液側と接続されており、他端側において膨張弁１６の数に応じて分岐し各膨張弁１６と個別に接続されている。
【００３０】
圧縮機１１は、低圧のガス冷媒を吸入し、圧縮して吐出する機構である。圧縮機１１は、圧縮機モータ１１ａを内蔵された密閉式の構造を有している。圧縮機１１では、圧縮機ケーシング（図示省略）内に収容されたロータリ式やスクロール式等の圧縮要素（図示省略）が、圧縮機モータ１１ａを駆動源として駆動される。圧縮機モータ１１ａは、運転中、インバータ制御され、状況に応じて回転数を調整される。圧縮機１１は、駆動時に、吸入ポートから冷媒を吸入し、圧縮後、吐出ポートから吐出する。
【００３１】
四路切換弁１２は、冷媒回路ＲＣにおいて冷媒の流れる方向を切り換えるための切換弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。また、四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００３２】
室外熱交換器１３は、冷房運転時には冷媒の凝縮器又は放熱器として機能し、暖房運転時には冷媒の蒸発器として機能する熱交換器である。室外熱交換器１３は、冷媒が流れる伝熱管（図示省略）と、伝熱面積を増大する伝熱フィン（図示省略）と、を含む。室外熱交換器１３は、運転時において、伝熱管内の冷媒と、室外ファン１５によって生成される空気流と、が熱交換可能なように配置されている。
【００３３】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００３４】
膨張弁１６は、開度調整が可能な電動弁である。膨張弁１６は、運転時には状況に応じて開度を適宜調整され、開度に応じて冷媒を減圧する。各膨張弁１６は、いずれかの室内ユニット３０に対応している。具体的に、膨張弁１６ａは、室内ユニット３０ａに対応しており、室内ユニット３０ａに接続される液連絡配管ＬＰと接続され、室内ユニット３０ａの運転状況に応じて開度を適宜調整される。膨張弁１６ｂは、室内ユニット３０ｂに対応しており、室内ユニット３０ｂに接続される液連絡配管ＬＰと接続され、室内ユニット３０ｂの運転状況に応じて開度を適宜調整される。膨張弁１６ｃは、室内ユニット３０ｃに対応しており、室内ユニット３０ｃに接続される液連絡配管ＬＰと接続され、室内ユニット３０ｃの運転状況に応じて開度を適宜調整される。
【００３５】
室外ユニット制御部１７は、ＣＰＵやメモリ等で構成されるマイクロコンピュータである。室外ユニット制御部１７は、室外ユニット１０における各アクチュエータの動作を制御する。室外ユニット制御部１７は、各室内ユニット３０の室内ユニット制御部３４（後述）と、通信線ｃｂ１を介して接続されており、相互に信号の送受信を行う。
【００３６】
（１−２）室内ユニット３０（空調室内機）
本実施形態において、各室内ユニット３０（室内ユニット３０ａ、３０ｂ、及び３０ｃ）は、対象空間ＳＰの床面Ｆ１に設置される床置き型の空調室内機である。各室内ユニット３０は、室外ユニット１０とともに冷媒回路ＲＣを構成している。各室内ユニット３０は、主として、室内熱交換器３１と、室内ファン３３（送風機）と、室内ユニット制御部３４と、を有している。
【００３７】
室内熱交換器３１は、冷房運転時には冷媒の蒸発器として機能し、暖房運転時には冷媒の凝縮器又は放熱器として機能する熱交換器である。室内熱交換器３１は、いわゆるクロス・フィン・チューブ熱交換器である。室内熱交換器３１は、液側が液連絡配管ＬＰまで延びる冷媒配管に接続されるとともに、ガス側がガス連絡配管ＧＰまで延びる冷媒配管に接続されている。室内熱交換器３１は、運転時において、伝熱管（図示省略）内の冷媒と、室内ファン３３によって生成される空気流ＡＦ（後述）と、が熱交換可能なように配置されている。
【００３８】
室内ファン３３は、例えばターボファン、シロッコファン、クロスフローファン又はプロペラファン等の送風機である。室内ファン３３は、室内ファンモータ３３ａの出力軸に接続されている。室内ファン３３は、室内ファンモータ３３ａに連動して駆動する。室内ファン３３は、駆動すると、室内ユニット３０内に吸い込まれて室内熱交換器３１を通過した後に対象空間ＳＰへと吹き出される空気流ＡＦ、を生成する。
【００３９】
室内ユニット制御部３４は、ＣＰＵやメモリ等で構成されるマイクロコンピュータである。室内ユニット制御部３４は、室内ユニット３０におけるアクチュエータの動作を制御する。室内ユニット制御部３４は、室外ユニット制御部１７と、通信線ｃｂ１を介して信号の送受信を行う。また、室内ユニット制御部３４は、リモコン５０と無線通信を行う。また、室内ユニット制御部３４は、冷媒漏洩センサ５５と、電気的に接続されており信号の送受信を行う。
【００４０】
なお、室内ユニット３０の詳細については、後述の「（３）室内ユニット３０の詳細」において説明する。
【００４１】
（１−３）リモコン５０
リモコン５０は、ＣＰＵやメモリ等で構成されるマイクロコンピュータを含むリモコン制御部（図示省略）と、空調システム１００へ各種コマンドを入力するための入力キーを含むリモコン入力部（図示省略）と、を有するユーザインターフェースである。
【００４２】
空調システム１００は、室内ユニット３０と同数（ここでは３台）のリモコン５０を有している。リモコン５０は、いずれかの室内ユニット３０と１対１で対応づけられており、リモコン５０は、対応する室内ユニット３０の室内ユニット制御部３４と、赤外線や電波を用いて無線通信を行う。リモコン５０は、ユーザや管理者によってリモコン入力部へコマンドを入力されると、入力されたコマンドに応じて、所定の信号を室内ユニット制御部３４に対し送信する。
【００４３】
（１−４）冷媒漏洩センサ５５
冷媒漏洩センサ５５は、対象空間ＳＰに配置されて、対象空間ＳＰにおける冷媒漏洩を検知するためのセンサである。本実施形態では、冷媒漏洩センサ５５は、公知の汎用品が用いられる。本実施形態において、冷媒漏洩センサ５５は、室内ユニット３０のケーシング４０（後述）内に配置されている（図２及び図３を参照）。
【００４４】
冷媒漏洩センサ５５は、内蔵されている室内ユニット３０の室内ユニット制御部３４と電気的に接続されている。冷媒漏洩センサ５５は、漏洩した冷媒（漏洩冷媒）を検出すると、冷媒漏洩が生じている旨を示す電気信号（以下、「冷媒漏洩信号」と記載）を、接続されている室内ユニット制御部３４に対して出力する。
【００４５】
（１−５）冷媒漏洩報知部５８
冷媒漏洩報知部５８は、対象空間ＳＰにおいて冷媒漏洩が生じた際に、ユーザに報知するための出力部である。本実施形態において、冷媒漏洩報知部５８は、所定電圧を供給されることで点灯する発光部であり、例えばＬＥＤライト等である。冷媒漏洩報知部５８は、各室内ユニット３０においてケーシング４０の正面側の上部に配置されている。
【００４６】
（１−６）コントローラ６０
空調システム１００では、室外ユニット制御部１７と、各室内ユニット３０（３０ａ、３０ｂ、３０ｃ）の室内ユニット制御部３４と、が通信線ｃｂ１を介して接続されることで、空調システム１００の動作を制御するコントローラ６０が構成されている。コントローラ６０の詳細については、後述の「（４）コントローラ６０の詳細」において説明する。
【００４７】
（２）空調システム１００の各運転
いずれかのリモコン５０において運転開始コマンドが入力され、コントローラ６０によって冷房運転又は暖房運転に係る制御が実行されると、四路切換弁１２が所定の状態に切り換えられ、圧縮機１１及び室外ファン１５が起動する。また、運転開始コマンドを入力されたリモコン５０に対応する室内ユニット３０（以下、「運転室内ユニット３０」と称する）が運転状態（室内ファン３３が起動する状態）となる。
【００４８】
（２−１）冷房運転
冷房運転時には、四路切換弁１２が冷房サイクル状態（図１の四路切換弁１２の実線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。室外熱交換器１３に流入した冷媒は、室外ファン１５が生成する空気流と熱交換して凝縮する。室外熱交換器１３から流出した冷媒は、第５配管Ｐ５を通過して運転室内ユニット３０に対応する膨張弁１６に流入する。膨張弁１６に流入した冷媒は、膨張弁１６の開度に応じて減圧される。膨張弁１６から流出した冷媒は、液連絡配管ＬＰを通過して運転室内ユニット３０に流入する。
【００４９】
運転室内ユニット３０に流入した冷媒は、室内熱交換器３１に流入し、室内ファン３３によって生成される空気流ＡＦと熱交換して蒸発する。室内熱交換器３１から流出した冷媒は、ガス連絡配管ＧＰを通過して室外ユニット１０に流入する。
【００５０】
室外ユニット１０に流入した冷媒は、第１配管Ｐ１、四路切換弁１２、及び第２配管Ｐ２を通過して、再び圧縮機１１に吸入されて圧縮される。
【００５１】
（２−２）暖房運転
暖房運転時には、四路切換弁１２が暖房サイクル状態（図１の四路切換弁１２の破線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１、及びガス連絡配管ＧＰを通過して運転室内ユニット３０に流入する。
【００５２】
運転室内ユニット３０に流入した冷媒は、室内熱交換器３１に流入し、室内ファン３３が生成する空気流ＡＦと熱交換して凝縮する。室内熱交換器３１から流出した冷媒は、液連絡配管ＬＰを通過して室外ユニット１０に流入する。
【００５３】
室外ユニット１０に流入した冷媒は、運転室内ユニット３０に対応する膨張弁１６に流入し、膨張弁１６の開度に応じて減圧される。膨張弁１６から流出した冷媒は、第５配管Ｐ５を通過して室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００５４】
（３）室内ユニット３０の詳細
図２は、室内ユニット３０の外観斜視図である。図３は、対象空間ＳＰにおける各室内ユニット３０の配置態様を示した模式図である。
【００５５】
室内ユニット３０は、略直方体状の外郭を構成するケーシング４０を有している。室内ユニット３０は、ケーシング４０内に、室内熱交換器３１及び室内ファン３３等の機器を収容されている。
【００５６】
各室内ユニット３０は、対象空間ＳＰの床面Ｆ１上に配置されている。具体的には、各室内ユニット３０は、ケーシング４０の底面部が床面Ｆ１に隣接するとともにケーシング４０の背面部が側壁Ｗ１に隣接する態様で、配置されている。本実施形態においては、室内ユニット３０ａと室内ユニット３０ｂとが対向するように配置され、室内ユニット３０ｃが室内ユニット３０ａ及び室内ユニット３０ｂの間に位置するように配置されている。
【００５７】
室内ユニット３０は、ケーシング４０に、室内ファン３３が生成する空気流ＡＦの吹出口として機能する開口（以下、「吹出口４１」と称する）と、吸込口として機能する複数の開口（以下、「吸込口４２」と称する）と、を形成されている。
【００５８】
具体的に、吹出口４１は、ケーシング４０の正面部４０１において、ケーシング４０の中央よりも高い位置に形成されている。
【００５９】
吸込口４２には、ケーシング４０の正面部４０１に形成される正面吸込口４２ａと、ケーシング４０の正面部４０１と背面部とを繋ぐ左右の側面部４０２に形成される側面吸込口４２ｂと、が含まれる。複数の正面吸込口４２ａ、及び複数の側面吸込口４２ｂは、ケーシング４０の所定の位置において、上下方向及び水平方向（左右方向又は前後方向）に列を成すように形成されている。より詳細には、正面吸込口４２ａは、ケーシング４０の幅方向に長い長方形状を呈しており、ケーシング４０の中央よりも上方であって吹出口４１よりも下方の高さ位置において、複数形成されている。また、側面吸込口４２ｂは、ケーシング４０の上下方向に長い長方形状を呈しており、吹出口４１よりも下方の高さ位置において、側面部４０２の上部から下部にかけて複数形成されている。
【００６０】
室内ユニット３０は、吹出口４１の開閉を切り換えるとともに吹出口４１における空気流ＡＦの吹出方向を調整するフラップ４５と、フラップ４５を回動させるための回転軸４６と、を有している。
【００６１】
フラップ４５は、ケーシング４０の一部を構成している。フラップ４５は、回転軸４６に機械的に接続されている。フラップ４５は、回転軸４６の回転に伴い、所定の角度範囲で上下方向に回動する。フラップ４５の動作は、コントローラ６０によって制御される。
【００６２】
図４は、フラップ４５の回動によって吹出口４１が開閉する様子を示した模式図である。図５は、運転時にフラップ４５が回動して空気流ＡＦが方向ｄｒ１に吹き出される様子を示した模式図である。図６は、運転時にフラップ４５が回動して空気流ＡＦが方向ｄｒ２に吹き出される様子を示した模式図である。
【００６３】
フラップ４５は、室内ユニット３０の停止時には、その正面側下端部が最も下向きとなる角度（停止角度）に設定され、吹出口４１を閉じる（図４参照）。フラップ４５は、室内ユニット３０の運転時には、上向きに回動されて吹出口４１を開放するとともに、空気流ＡＦの吹出方向に応じた姿勢となるように角度を適宜制御される。具体的に、フラップ４５は、室内ユニット３０の運転時には、上下方向に回動されることで、空気流ＡＦの吹出方向を上下に変化させる。本実施形態において、フラップ４５は、室内ユニット３０の運転時には、図５に示すように空気流ＡＦの吹出方向が水平方向ｈ１より下向きの方向ｄｒ１となる角度（下向吹出角度）から、図６に示すように吹出方向が水平方向ｈ１より上向きの方向ｄｒ２となる角度（上向吹出角度）までの範囲を回動可能である。
【００６４】
回転軸４６は、フラップ駆動モータ４７（図７参照）の出力軸に機械的に接続されており、フラップ駆動モータ４７の駆動に連動して回転する。
【００６５】
室内ユニット３０は、ケーシング４０の正面部４０１の上部（より詳細には吹出口４１の左側）に開口を形成されており、当該開口を介して冷媒漏洩報知部５８が露出している。
【００６６】
室内ユニット３０は、ケーシング４０の底部付近において冷媒漏洩センサ５５を収容している。このように冷媒漏洩センサ５５がケーシング４０の底部付近に配置されていることで、Ｒ３２のような空気より比重が大きい冷媒がケーシング４０内で漏洩した場合に、漏洩冷媒が迅速に検知されるようになっている。
【００６７】
（４）コントローラ６０の詳細
図７は、コントローラ６０の構成と、コントローラ６０に接続される機器を概略的に示したブロック図である。
【００６８】
コントローラ６０は、主として、圧縮機モータ１１ａ、室外ファンモータ１５ａ、四路切換弁１２及び各膨張弁１６（１６ａ、１６ｂ及び１６ｃ）と、各室内ユニット３０（３０ａ、３０ｂ、３０ｃ）に内蔵されている室内ファンモータ３３ａ、フラップ駆動モータ４７、冷媒漏洩センサ５５及び冷媒漏洩報知部５８と、電気的に接続されている。また、コントローラ６０は、図示しない各種センサ（対象空間ＳＰ内の温度等を検出する温度センサ等）とも電気的に接続されている。
【００６９】
コントローラ６０は、主として、記憶部６１と、入力制御部６２と、グループ設定部６３と、圧縮機制御部６４と、室外ファン制御部６５と、四路切換弁制御部６６と、膨張弁制御部６７と、第１室内制御部６８と、第２室内制御部６９と、第３室内制御部７０と、を含んでいる。
【００７０】
（４−１）記憶部６１
記憶部６１は、ＲＯＭ、ＲＡＭ、及びフラッシュメモリ等で構成されている。記憶部６１は、各種情報を記憶するための揮発性又は不揮発性の記憶領域を含んでいる。具体的に、記憶部６１は、コントローラ６０における各部の処理に用いられる制御プログラムやグルーピングテーブルＴＢ１（後述）等を、所定の記憶領域において記憶している。
【００７１】
また、記憶部６１は、リモコン５０等を介してユーザや管理者によって入力されたコマンドに基づき特定される各種設定項目（各室内ユニット３０の発停、運転モード、設定温度、設定風量、及び風向等）、を判別するためのコマンド判別フラグＦＬ１を含んでいる。コマンド判別フラグＦＬ１は、各設定項目に応じたビット数を含んでいる。
【００７２】
また、記憶部６１は、各室内ユニット３０に内蔵される冷媒漏洩センサ５５の検出結果（すなわち、対象空間ＳＰにおける冷媒漏洩の有無）を個別に判別するための冷媒漏洩判別フラグＦＬ２を含んでいる。冷媒漏洩判別フラグＦＬ２は、いずれかの冷媒漏洩センサ５５から冷媒漏洩信号を受信した場合（すなわち、対象空間ＳＰにおいて冷媒漏洩が生じた場合）に対応するビットが立てられる。
【００７３】
また、記憶部６１は、その他の各種センサ（例えば対象空間ＳＰの温度を検出する温度センサ等）の検出結果を判別するための状況判別フラグＦＬ３を含んでいる。状況判別フラグＦＬ３は、各種センサから出力される情報の数に応じたビット数を含んでいる。
【００７４】
（４−２）入力制御部６２
入力制御部６２は、リモコン５０から送信されたコマンド情報を受けて、コマンドに対応するようにコマンド判別フラグＦＬ１を立てる。また、入力制御部６２は、いずれかの冷媒漏洩センサ５５から冷媒漏洩信号を受信した場合、冷媒漏洩判別フラグＦＬ２の対応するビットを立てる。また、入力制御部６２は、他の各種センサから送信された信号を受信して、状況判別フラグＦＬ３の対応するビットを立てる。
【００７５】
（４−３）グループ設定部６３
グループ設定部６３は、リモコン５０や図示しない入力装置を介して、ユーザや管理者によってグループ設定が行われた時に、当該グループ設定に基づいたテーブル（以下、「グルーピングテーブルＴＢ１」と記載）を作成して、記憶部６１の所定の記憶領域に格納する。ここで、グループ設定は、空調システム１００に含まれている室内ユニット３０をグループ分けして登録する処理である。具体的に、グループ設定では、状況に応じて連動制御させる空調室内機（ここでは室内ユニット３０）の選択が行われる。
【００７６】
グループ設定部６３は、ユーザや管理者によって新たにグループ設定が行われた時には、グルーピングテーブルＴＢ１を適宜、作成又は更新する。これにより、空調システム１００では、複数の室内ユニット３０の動作を状況に応じて連動させること（グループ制御）が可能となっている。
【００７７】
図８は、各室内ユニット３０の連動制御（グループ制御）に用いられるグルーピングテーブルＴＢ１の一例を示した模式図である。グルーピングテーブルＴＢ１の生成及び更新（グループ設定）は、ユーザや管理者によるリモコン５０へのコマンドの入力に基づいて行われる。
【００７８】
図８に示すグルーピングテーブルＴＢ１では、空調室内機（室内ユニット３０）毎に、各種変数（「ユニット番号」、「グループ番号」、及び「非常グループ番号」）の値が定義されている。ユニット番号は、機器の種類（例えば、エアコン室内機、換気装置、除湿機、及び空気清浄機等のいずれであるか）を識別するための識別情報である。グループ番号は、通常時（冷媒漏洩が生じていない時）に各空調室内機が所属するグループ、を識別する情報である。非常グループ番号は、非常時（冷媒漏洩等が生じている時）に各空調室内機が所属するグループ、を識別する情報である。
【００７９】
図８に示すグルーピングテーブルＴＢ１では、室内ユニット３０ａ、３０ｂ及び３０ｃは、ユニット番号の値が、空調室内機であることを特定する「１」と定義されている。また、室内ユニット３０ａはグループ番号の値が「１」と定義され、室内ユニット３０ｂ及び３０ｃはグループ番号の値が「２」と定義されている。すなわち、室内ユニット３０ａは、通常時において、室内ユニット３０ｂ及び３０ｃが所属するグループ２とは別のグループ１に所属している。また、室内ユニット３０ａ、３０ｂ及び３０ｃは非常グループ番号の値が「３」と定義されている。すなわち、室内ユニット３０ａ、３０ｂ及び３０ｃは、非常時において、同一のグループ３に所属していることが示されている。
【００８０】
（４−４）圧縮機制御部６４、室外ファン制御部６５、四路切換弁制御部６６、膨張弁制御部６７
圧縮機制御部６４、室外ファン制御部６５、及び四路切換弁制御部６６は、制御プログラムに沿って、各フラグ（ＦＬ１、ＦＬ２、ＦＬ３）を適宜参照し、各部の動作を状況に応じて制御する。
【００８１】
具体的に、圧縮機制御部６４は、コマンド判別フラグＦＬ１及び状況判別フラグＦＬ３を適宜参照し、コマンド情報及び状況に応じて、圧縮機１１（圧縮機モータ１１ａ）の発停及び回転数を制御する。また、圧縮機制御部６４は、冷媒漏洩判別フラグＦＬ２のいずれかのビットが立てられると、圧縮機１１を停止させ、冷媒漏洩判別フラグＦＬ２が解除されるまで停止状態を継続させる（すなわち圧縮機１１の駆動を禁止する）。
【００８２】
室外ファン制御部６５は、コマンド判別フラグＦＬ１を適宜参照し、コマンド情報に基づいて、室外ファン１５（室外ファンモータ１５ａ）の発停及び回転数を制御する。また、室外ファン制御部６５は、冷媒漏洩判別フラグＦＬ２のいずれかのビットが立てられると、室外ファン１５を停止させ、冷媒漏洩判別フラグＦＬ２が解除されるまで当該状態を継続させる。
【００８３】
四路切換弁制御部６６は、コマンド判別フラグＦＬ１を適宜参照し、コマンド情報に基づいて、四路切換弁１２の切換えを制御する。また、四路切換弁制御部６６は、冷媒漏洩判別フラグＦＬ２のいずれかのビットが立てられると、四路切換弁１２を冷房サイクル状態（図１の四路切換弁１２の実線で示す状態）に切り換え、冷媒漏洩判別フラグＦＬ２が解除されるまで当該状態を継続させる。
【００８４】
膨張弁制御部６７は、コマンド判別フラグＦＬ１及び状況判別フラグＦＬ３を適宜参照し、コマンド情報及び状況に応じて、各膨張弁１６の開度を個別に制御する。また、膨張弁制御部６７は、冷媒漏洩判別フラグＦＬ２のいずれかのビットが立てられると、各膨張弁１６の開度を最小開度（全閉状態）に設定し、冷媒漏洩判別フラグＦＬ２が解除されるまで当該状態を継続させる。
【００８５】
（４−５）第１室内制御部６８、第２室内制御部６９、第３室内制御部７０
第１室内制御部６８、第２室内制御部６９、及び第３室内制御部７０は、対応する室内ユニット３０（３０ａ、３０ｂ、又は３０ｃ）において、室内ファン３３（室内ファンモータ３３ａ）、フラップ４５（フラップ駆動モータ４７）、及び冷媒漏洩報知部５８の動作を、制御する機能部である。具体的に、第１室内制御部６８は室内ユニット３０ａに対応し、第２室内制御部６９は室内ユニット３０ｂに対応し、第３室内制御部７０は室内ユニット３０ｃに対応している。
【００８６】
第１室内制御部６８、第２室内制御部６９、及び第３室内制御部７０は、コマンド判別フラグＦＬ１、状況判別フラグＦＬ３及びグルーピングテーブルＴＢ１を適宜参照し、コマンド情報に基づいて、対応する室内ユニット３０における室内ファン３３（室内ファンモータ３３ａ）の発停及び回転数、フラップ４５（フラップ駆動モータ４７）の開閉動作、及び冷媒漏洩報知部５８の動作を、状況に応じて制御する。
【００８７】
例えば、第１室内制御部６８、第２室内制御部６９、及び第３室内制御部７０は、リモコン５０等を介して、対応する室内ユニット３０に対し運転開始コマンドが入力されると、設定風量に基づいて室内ファン３３を駆動させ、設定風向に基づいてフラップ４５を回動させる。これにより、運転開始コマンドを入力された室内ユニット３０が運転状態となる。
【００８８】
また、第１室内制御部６８、第２室内制御部６９、及び第３室内制御部７０は、同一のグループに所属している（すなわち、グループ番号が同一の）他の室内ユニット３０が運転状態になると、対応する室内ユニット３０において、室内ファン３３を起動させ、設定風向に基づいてフラップ４５を回動させる。これにより、グループが共通する複数の室内ユニット３０のうち、いずれかの室内ユニット３０に対して運転開始コマンドが入力された場合、他の室内ユニット３０も運転状態となり、連動制御が実現される。
【００８９】
また、第１室内制御部６８、第２室内制御部６９、及び第３室内制御部７０は、停止時には、対応する室内ユニット３０のフラップ４５を停止角度（図４参照）に設定して吹出口４１を閉じさせる。また、第１室内制御部６８、第２室内制御部６９、及び第３室内制御部７０は、運転時には、状況判別フラグＦＬ３に基づき、コマンド情報において特定される風向に沿った方向に空気流ＡＦが吹き出されるように、対応する室内ユニット３０のフラップ４５を回動させる。
【００９０】
また、第１室内制御部６８、第２室内制御部６９、及び第３室内制御部７０は、冷媒漏洩判別フラグＦＬ２の対応するビットが立てられると（すなわち、対応する室内ユニット３０に冷媒漏洩センサ５５から冷媒漏洩信号が送信されると）、室内ファン３３を第１回転数で駆動させるとともに、フラップ４５を上向吹出角度に設定し、空気流ＡＦの吹出方向を方向ｄｒ２（水平方向ｈ１より上向き）とさせる。
【００９１】
また、第１室内制御部６８、第２室内制御部６９、及び第３室内制御部７０は、冷媒漏洩判別フラグＦＬ２の他のビットが立てられた場合（すなわち、対応する室内ユニット３０以外の室内ユニット３０に冷媒漏洩センサ５５から冷媒漏洩信号が送信された場合）には、グルーピングテーブルＴＢ１を参照する。そして、第１室内制御部６８、第２室内制御部６９、及び第３室内制御部７０は、当該冷媒漏洩信号が非常グループ番号の共通する室内ユニット３０に対して送信されたものである時には、室内ファン３３を第２回転数で駆動させるとともに、フラップ４５を上向吹出角度に設定し、空気流ＡＦの吹出方向を方向ｄｒ２（水平方向ｈ１より上向き）とさせる。
【００９２】
これにより、複数の室内ユニット３０のうち、いずれかの室内ユニット３０に対して冷媒漏洩センサ５５から冷媒漏洩信号が送信された場合、当該室内ユニット３０における室内ファン３３が第１回転数で駆動するのに加えて、当該室内ユニット３０と非常グループ番号が共通する他の室内ユニット３０における室内ファン３３が第２回転数で駆動する。
【００９３】
本実施形態においては、室内ユニット３０ａ、３０ｂ及び３０ｃのいずれも、非常グループ番号が同一であるため、いずれかの室内ユニット３０に対して冷媒漏洩センサ５５から冷媒漏洩信号が送信された場合（すなわち、対象空間ＳＰにおいて冷媒漏洩が生じた場合）には、全ての室内ユニット３０において、室内ファン３３が駆動し、空気流ＡＦが水平方向ｈ１より上向きに吹き出される。
【００９４】
なお、本実施形態においては、第１回転数及び第２回転数のいずれも、最大回転数（空気流ＡＦの風量が最大になる回転数）に設定されている。すなわち、本実施形態において第１回転数と第２回転数とは同一の回転数に設定されている。
【００９５】
また、第１室内制御部６８、第２室内制御部６９、及び第３室内制御部７０は、上述の冷媒漏洩時の処理を実行してから所定時間ｔ１が経過すると、フラップ４５を、継続的に上下に回動させ上向吹出角度と下向吹出角度とを往復させることで、空気流ＡＦの吹出方向を、連続的に上下に変化（スイング）させる。本実施形態において所定時間ｔ１は、３ｍｉｎに設定されている。なお、第１室内制御部６８、第２室内制御部６９、及び第３室内制御部７０は、時間をカウント可能に構成されている。
【００９６】
第１室内制御部６８、第２室内制御部６９、及び第３室内制御部７０が、係る制御を実行することにより、対象空間ＳＰにおいて冷媒漏洩が生じてから所定時間ｔ１が経過すると、各室内ユニット３０によって上方へと拡散された漏洩冷媒が、対象空間ＳＰ全体へと均一に拡散されるため、対象空間ＳＰの特定部分において漏洩冷媒の濃度が高まることが抑制される。
【００９７】
また、第１室内制御部６８、第２室内制御部６９、及び第３室内制御部７０は、冷媒漏洩判別フラグＦＬ２のいずれかのビットが立てられると、対応する室内ユニット３０において配置される冷媒漏洩報知部５８に対して所定の駆動電圧を供給し、当該冷媒漏洩報知部５８を点灯させる。
【００９８】
なお、以下の説明においては、説明の便宜上、冷媒漏洩信号を送信した冷媒漏洩センサ５５と電気的に接続される室内ユニット３０を「冷媒漏洩室内機」と称する。また、同一のグループ番号を定義された室内ユニット３０（すなわち、通常時に同一のグループに所属する室内ユニット３０）をまとめて「グループ室内機」と称する。また、同一の非常グループ番号を定義された室内ユニット３０（すなわち、非常時に同一のグループに所属する室内ユニット３０）をまとめて「非常グループ室内機」と称する。
【００９９】
（５）コントローラ６０の処理の流れ
図９は、コントローラ６０の処理の流れの一例を示したフローチャートである。コントローラ６０は、電源を投入されると、例えば以下のような流れで処理を実行する。なお、以下の処理の流れは、一例であり、適宜変更が可能である。
【０１００】
ステップＳ１０１において、コントローラ６０は、リモコン５０等を介してグループ設定に係るコマンドが入力されたか否か、を判定する。当該判定がＮＯの場合（すなわち、グループ設定が行われていない場合）、ステップＳ１０３へ進む。一方、当該判定がＹＥＳの場合（すなわち、グループ設定が行われた場合）、ステップＳ１０２へ進む。
【０１０１】
ステップＳ１０２において、コントローラ６０は、入力されたグループ設定に係るコマンドに基づき、グルーピングテーブルＴＢ１を生成又は更新する。その後ステップＳ１０３へ進む。
【０１０２】
ステップＳ１０３において、コントローラ６０は、リモコン５０等を介してユーザによって各種設定項目に係るコマンド（各室内ユニット３０の発停、運転モード、設定温度、設定風量、又は設定風向等を切り換えるコマンド）が新たに入力されたか否かを判定する。当該判定がＮＯの場合（すなわち、コマンドが新たに入力されない場合）には、ステップＳ１０７へ進む。一方、当該判定がＹＥＳの場合（すなわち、コマンドが新たに入力された場合）には、ステップＳ１０４へ進む。
【０１０３】
ステップＳ１０４において、コントローラ６０は、ユーザによって入力されたコマンド情報において特定される各種設定項目（各室内ユニット３０の発停、運転モード、設定温度、設定風量、及び設定風向等）に基づき、室外ユニット１０及び運転開始を指示された室内ユニット３０の各アクチュエータ（圧縮機１１、室外ファン１５、四路切換弁１２、各膨張弁１６、室内ファン３３、及びフラップ４５）の動作を制御する。その後、ステップＳ１０５へ進む。
【０１０４】
ステップＳ１０５において、コントローラ６０は、グルーピングテーブルＴＢ１に基づき、運転開始コマンド又は運転停止コマンドを入力された室内ユニット３０のグループ室内機の有無を判定する。コントローラ６０は、係るグループ室内機が存在しない場合には、ステップＳ１０７へ進む。一方、コントローラ６０は、係るグループ室内機が存在する場合には、ステップＳ１０６へ進む。
【０１０５】
ステップＳ１０６において、コントローラ６０は、グループ室内機（すなわち、運転開始又は運転停止を指示された室内ユニット３０と同一グループに所属する室内ユニット３０）に関して、グループ制御を実行する（すなわち連動して運転状態又は運転停止状態に切り換わるように各アクチュエータの動作を制御する）。その後、ステップＳ１０７へ進む。
【０１０６】
ステップＳ１０７において、コントローラ６０は、いずれかの冷媒漏洩センサ５５からの冷媒漏洩信号があるか（すなわち、対象空間ＳＰにおいて冷媒漏洩が生じているか）否かを判定する。当該判定がＮＯの場合（すなわち、対象空間ＳＰにおいて冷媒漏洩が生じていない場合）には、ステップＳ１０１に戻る。一方、当該判定がＹＥＳの場合（すなわち、対象空間ＳＰにおいて冷媒漏洩が生じている場合）には、ステップＳ１０８へ進む。
【０１０７】
ステップＳ１０８において、コントローラ６０は、冷媒漏洩が生じたことを受けて、圧縮機１１及び室外ファン１５を停止するとともに、四路切換弁１２を冷房サイクル状態（図１に示す四路切換弁１２の実線で示す状態）に制御する。また、コントローラ６０は、各膨張弁１６（１６ａ、１６ｂ及び１６ｃ）を最小開度に制御する。これにより、冷媒回路ＲＣにおいて冷凍サイクル（冷媒の循環）が停止し、更なる冷媒漏洩が抑制される。
【０１０８】
また、コントローラ６０は、各室内ユニット３０に配置される冷媒漏洩報知部５８を点灯させる。これにより、対象空間ＳＰにおいて冷媒漏洩が生じていることをユーザが認識可能となる。
【０１０９】
また、コントローラ６０は、冷媒漏洩室内機（第１室内機）の室内ファン３３を第１回転数で駆動させるとともに、空気流ＡＦの吹出方向が最も上向きになる状態となるように、フラップ４５の姿勢を回動可能範囲の上限角度まで上向きに設定する。また、冷媒漏洩室内機に関連する非常グループ室内機において、室内ファン３３を第２回転数で駆動させるとともに、空気流ＡＦの吹出方向が水平方向ｈ１より上向きの方向ｄｒ２となるように、フラップ４５の姿勢を上向吹出角度（より詳細には回動可能範囲の上限角度）に設定する。
【０１１０】
これにより、冷媒漏洩室内機を含む非常グループ室内機において、空気流ＡＦが生成され、吹出方向が上向きの状態で対象空間ＳＰに吹き出される。すなわち、本実施形態のように、室内ユニット３０ａ、３０ｂ及び３０ｃが同一の非常グループに属している場合には、対象空間ＳＰにおいて冷媒漏洩が生じた際に、各室内ユニット３０において、複数の空気流ＡＦが生成され上向きに吹き出される。その結果、生成された複数の空気流ＡＦによって、漏洩冷媒が拡散されるため、対象空間ＳＰにおいて漏洩冷媒の拡散が促進される（効果的に行われる）ようになっている。
【０１１１】
また、対象空間ＳＰにおいて冷媒漏洩が生じた場合には、床面Ｆ１に設置される室内ユニット３０において、漏洩冷媒が空気流ＡＦとして吸入された後、吹出口４１から水平方向ｈ１より上向きの方向ｄｒ１に吹き出される。特に、空気よりも比重が大きいＲ３２等の漏洩冷媒は、床面Ｆ１付近に滞留しやすいところ、壁掛けや天井埋込み型の室内機よりも低い高さ位置に設置される床置き型の室内ユニット３０において、漏洩冷媒が吸込口４２から取り込まれて水平方向ｈ１より上向きの方向ｄｒ１に吹き出される。その結果、床面Ｆ１付近に存在する漏洩冷媒は、上方へと拡散され、床面Ｆ１付近に滞留することが抑制される。
【０１１２】
コントローラ６０がステップＳ１０８において上述のような制御を実行することにより、空気よりも比重が大きい冷媒が漏洩した場合であっても、対象空間ＳＰ全体において漏洩冷媒の拡散が促進され、特定部分において漏洩冷媒の濃度が高まることが抑制される。
【０１１３】
コントローラ６０は、ステップＳ１０８における各処理を実行後、ステップＳ１０９へ進む。
【０１１４】
ステップＳ１０９において、コントローラ６０は、ステップＳ１０８の処理を実行後、所定時間ｔ１が経過したか否かを判定する。当該判定がＮＯの場合（すなわち、所定時間ｔ１が経過していない場合）、ステップＳ１０９において当該判定を繰り返す。一方、当該判定がＹＥＳの場合（すなわち、所定時間ｔ１が経過した場合）、ステップＳ１１０へ進む。
【０１１５】
ステップＳ１１０において、コントローラ６０は、冷媒漏洩室内機及びその非常グループ室内機において、フラップ４５を継続的に上下に回動させて、上向吹出角度と下向吹出角度とを往復させる。係る制御により、各室内ユニット３０において、生成される空気流ＡＦの吹出方向が、継続的に上下に変化するスイング状態となる。これにより、対象空間ＳＰにおいて、冷媒漏洩が検出されてから所定時間ｔ１が経過すると、床面Ｆ１付近から上方へと吹き出された漏洩冷媒が対象空間ＳＰ全体へと均一に拡散されるため、対象空間ＳＰの特定部分において漏洩冷媒の濃度が高まることがさらに抑制される。
【０１１６】
その後、コントローラ６０は、サービスマン等によって解除されるまで当該状態を継続する。
【０１１７】
（６）室内ユニット３０の特徴
（６−１）
空調システム１００では、コントローラ６０は、冷媒漏洩センサ５５が冷媒漏洩を検知した場合、冷媒漏洩室内機において室内ファン３３を所定の第１回転数で駆動させるとともに、冷媒漏洩室内機に関連する非常グループ室内機（すなわち、非常グループ番号が同一の室内ユニット３０のうち、冷媒漏洩室内機以外の室内ユニット３０）において室内ファン３３を所定の第２回転数で駆動させている。これにより、冷媒漏洩に対する保安性が確保されている。
【０１１８】
すなわち、従来の空調室内機によると、空調室内機の設置態様や対象空間ＳＰの大きさによっては漏洩冷媒が適正に拡散されず、保安性が十分に担保されないケースが想定される。例えば、同一の対象空間ＳＰに複数の空調室内機が配置される場合において、冷媒漏洩センサ５５から冷媒漏洩信号を送信された室内機の室内ファン３３を駆動させるのみでは、他の空調室内機の設置位置付近の空間で漏洩冷媒が滞留してその濃度が大きくなることも考えられる。係るケースにおいて、漏洩冷媒が、本実施形態のように例えばＲ３２のような微燃性の冷媒である時には、保安性が担保されない。
【０１１９】
ここで、空調システム１００では、対象空間ＳＰにおいて冷媒漏洩が生じた場合には、冷媒漏洩室内機に加えて非常グループ室内機においても、室内ファン３３が所定の回転数で駆動されるように構成されている。その結果、冷媒漏洩が生じた場合には、複数の空気流ＡＦが生成され、生成された複数の空気流ＡＦによって漏洩冷媒が拡散されるようになっている。よって、対象空間ＳＰにおいて漏洩冷媒の拡散が促進され、対象空間ＳＰの一部において漏洩冷媒が滞留することが抑制されている。すなわち、対象空間ＳＰの特定部分において漏洩冷媒の濃度が高まることが抑制されている。したがって、冷媒漏洩に対する保安性が確保されている。
【０１２０】
なお、本実施形態においては、室内ユニット３０ａ、３０ｂ、及び３０ｃのいずれも冷媒漏洩室内機となりうる。すなわち、室内ユニット３０ａ、３０ｂ、及び３０ｃのいずれもが、特許請求の範囲記載の「第１室内機」に相当する。
【０１２１】
（６−２）
空調システム１００では、室外ユニット１０と各室内ユニット３０とがガス連絡配管ＧＰ及び液連絡配管ＬＰを介して接続されることで、冷媒回路ＲＣが構成されている。すなわち、室外ユニット１０と複数の室内ユニット３０とによって冷媒回路ＲＣが構成される、いわゆるマルチタイプの空調システム１００において、保安性が確保されている。
【０１２２】
（６−３）
空調システム１００では、コントローラ６０は、冷媒漏洩センサ５５が冷媒漏洩を検知した場合、対象空間ＳＰに設置されている冷媒漏洩室内機及び非常グループ室内機の室内ファン３３を駆動させている。これにより、対象空間ＳＰにおいて冷媒漏洩が生じた場合には、複数の空気流ＡＦが生成されるようになっており、生成された複数の空気流ＡＦによって漏洩冷媒が拡散されるようになっている。このため、対象空間ＳＰにおいて漏洩冷媒の拡散が促進されるようになっており、対象空間ＳＰの特定部分において漏洩冷媒の濃度が高まることが抑制されている。
【０１２３】
（６−４）
空調システム１００では、コントローラ６０は、冷媒漏洩センサ５５が冷媒漏洩を検知した場合、システムに含まれる全ての室内ユニット３０において室内ファン３３を駆動させている。これにより、対象空間ＳＰにおいて冷媒漏洩が生じた場合には、全ての室内ユニット３０において空気流ＡＦが生成されるようになっており、生成された複数の空気流ＡＦによって漏洩冷媒が拡散されるようになっている。このため、対象空間ＳＰにおいて漏洩冷媒の拡散が促進されるようになっており、対象空間ＳＰの特定部分において漏洩冷媒の濃度が高まることが抑制されるようになっている。
【０１２４】
（６−５）
空調システム１００では、コントローラ６０は、冷媒漏洩センサ５５が冷媒漏洩を検知した場合、リモコン５０に入力されたグループ設定に係るコマンド（すなわち、冷媒漏洩が生じた際に室内ファン３３を駆動させる室内ユニット３０、を指定するコマンド）において指定される室内ユニット３０（非常グループ室内機）の室内ファン３３を駆動させている。これにより、冷媒漏洩時に室内ファン３３を駆動させる室内ユニット３０を、設置環境に応じて適宜選択可能となっており、汎用性に優れている。
【０１２５】
（７）変形例
上記第１実施形態は、以下の変形例に示すように適宜変形が可能である。なお、各変形例は、矛盾が生じない範囲で他の変形例と組み合わせて適用されてもよい。
【０１２６】
（７−１）変形例１Ａ
上記実施形態では、各室内ユニット３０は、対象空間ＳＰの床面Ｆ１に設置される床置き型が採用されていた。しかし、室内ユニット３０は、必ずしも床置き型である必要はない。例えば、室内ユニット３０ａ、３０ｂ、及び３０ｃのいずれか／全ては、対象空間ＳＰの側壁Ｗ１に固定される壁掛型、天井Ｃ１に固定される天井埋込型若しくは天井吊下型、側壁Ｗ１内に設置されるいわゆる側壁埋込型、又は床面Ｆ１の下方に設置される床埋込型、等であってもよい。
【０１２７】
（７−２）変形例１Ｂ
上記実施形態では、空調システム１００は、３台の室内ユニット３０（３０ａ、３０ｂ、及び３０ｃ）を有していた。しかし、空調システム１００が有する室内ユニット３０の台数は、必ずしも３台に限定されず、２台であってもよいし、４台以上であってもよい。すなわち、対象空間ＳＰに設置される室内ユニット３０の台数については、必ずしも３台に限定されず、２台であってもよいし、４台以上であってもよい。
【０１２８】
（７−３）変形例１Ｃ
また、上記実施形態では、冷媒回路ＲＣにおいて、膨張弁１６は室外ユニット１０に複数（３つ）配置されていた。しかし、冷媒回路ＲＣにおいては、必ずしも複数の膨張弁１６を配置される必要はない。例えば、冷媒回路ＲＣは、各室内ユニット３０に対応する１つの膨張弁１６のみが配置されるように変更されてもよい。係る場合、冷媒回路ＲＣにおいて、各室内ユニット３０が、共通する液連絡配管ＬＰによって室外ユニット１０（膨張弁１６）と接続されるように構成されればよい。
【０１２９】
また、上記実施形態では、冷媒回路ＲＣにおいて、膨張弁１６は室外ユニット１０に配置されていた。しかし、膨張弁１６を室外ユニット１０に配置するのに代えて、各室内ユニット３０において膨張弁１６を配置してもよい。係る場合、膨張弁１６は、室内熱交換器３１の液側と液連絡配管ＬＰとを接続する冷媒配管上に配置されればよい。また、各膨張弁１６は、第１室内制御部６８、第２室内制御部６９又は第３室内制御部７０によって、状況に応じて開度を制御されればよい。
【０１３０】
（７−４）変形例１Ｄ
上記実施形態では、室内ユニット３０は、空気流ＡＦの吸込口４２として、ケーシング４０の正面部４０１に形成される正面吸込口４２ａと、ケーシング４０の正面部４０１と背面部とを繋ぐ左右の側面部４０２に形成される側面吸込口４２ｂと、を形成されていた。しかし、室内ユニット３０は、必ずしも係る態様で吸込口４２を形成される必要はない。例えば、室内ユニット３０は、吸込口４２として、正面吸込口４２ａ及び側面吸込口４２ｂの一方のみを形成されてもよい。また、室内ユニット３０は、正面吸込口４２ａ及び／又は側面吸込口４２ｂ、に代えて／とともに、ケーシング４０の背面部又は底面部において他の吸込口４２を形成されてもよい。
【０１３１】
（７−５）変形例１Ｅ
上記実施形態では、冷媒漏洩センサ５５は、室内ユニット３０のケーシング４０内に配置されていた。しかし、冷媒漏洩センサ５５は、必ずしもケーシング４０内に配置される必要はなく、対象空間ＳＰにおける漏洩冷媒を検知可能な限り、他の場所に配置されてもよい。例えば、冷媒漏洩センサ５５は、対象空間ＳＰ内に設置されるリモコン５０や他の機器内に配置されてもよい。また、冷媒漏洩センサ５５は、対象空間ＳＰにおいて独立して配置されてもよい。
【０１３２】
また、上記実施形態では、冷媒漏洩センサ５５は、各室内ユニット３０に内蔵されていた。すなわち、対象空間ＳＰには、複数の冷媒漏洩センサ５５が設置されていた。しかし、対象空間ＳＰに設置される冷媒漏洩センサ５５の数は、必ずしも複数である必要はない。
【０１３３】
（７−６）変形例１Ｆ
上記実施形態では、冷媒漏洩センサ５５は、室内ユニット制御部３４と電気的に接続され、冷媒漏洩を検出した際に室内ユニット制御部３４に対して冷媒漏洩信号を送信していた。しかし、冷媒漏洩センサ５５は、室内ユニット制御部３４に接続されるのに代えて、他の装置（例えば室外ユニット制御部１７やリモコン５０等）に接続され、当該他の装置に対して冷媒漏洩信号を送信するように構成してもよい。そして、冷媒漏洩信号を受信した装置から、冷媒漏洩センサ５５の最も近傍に配置される室内ユニット制御部３４に対して、冷媒漏洩信号が転送されるように構成すればよい。
【０１３４】
（７−７）変形例１Ｇ
上記実施形態では、室内ユニット制御部３４とリモコン５０とは、無線通信を行うことで信号の送受信を行っていた。しかし、室内ユニット制御部３４とリモコン５０とを通信線で接続して、両者間における信号の送受信が有線通信により行われるように構成してもよい。
【０１３５】
また、上記実施形態では、室外ユニット制御部１７と室内ユニット制御部３４とが通信線ｃｂ１で接続されており、両者間において有線通信による信号の送受信が行われていた。しかし、室外ユニット制御部１７と室内ユニット制御部３４とが、赤外線や電波等を用いた無線通信を行うことで信号の送受信を行うように構成してもよい。
【０１３６】
（７−８）変形例１Ｈ
上記実施形態では、コントローラ６０は、室外ユニット制御部１７と、室内ユニット制御部３４と、が通信線ｃｂ１を介して接続されることで、構成されていた。しかし、コントローラ６０は、必ずしも係る態様で構成される必要はない。例えば、コントローラ６０は、互いに通信可能な態様で配置された、室外ユニット制御部１７及び／又は室内ユニット制御部３４と、リモコン５０若しくは集中管理コントローラ等の他の装置と、によって構成されてもよい。
【０１３７】
また、コントローラ６０を構成する各要素（６１、６２、・・・７０）は、必ずしも室外ユニット制御部１７又は室内ユニット制御部３４内に配置される必要はなく、通信ネットワークを介して通信可能な限り、他の場所に配置されてもよい。
【０１３８】
（７−９）変形例１Ｉ
上記実施形態では、冷媒漏洩報知部５８は、所定電圧を供給されることで点灯する発光部であり、例えばＬＥＤライト等であった。しかし、冷媒漏洩報知部５８は、冷媒漏洩が生じたことを報知可能な出力部である限り、適宜変更が可能である。例えば、冷媒漏洩報知部５８は、所定電圧を供給されることで音声を出力可能なスピーカであってもよい。
【０１３９】
また、冷媒漏洩報知部５８は、ケーシング４０の正面側の上部に配置されていた。しかし、冷媒漏洩報知部５８は、ユーザや管理者が認識可能である限り、他の位置に設置されてもよい。例えば、冷媒漏洩報知部５８は、リモコン５０や他の機器内に配置されてもよいし、独立して配置されてもよい。
【０１４０】
（７−１０）変形例１Ｊ
上記実施形態では、コントローラ６０は、冷媒漏洩を検出した場合、冷媒回路ＲＣにおいて冷凍サイクル（冷媒の循環）を停止させるべく、圧縮機１１及び室外ファン１５を停止するとともに、四路切換弁１２を冷房サイクル状態（図１に示す四路切換弁１２の実線で示す状態）に制御していた。また、コントローラ６０は、各膨張弁１６を最小開度に制御していた。
【０１４１】
しかし、コントローラ６０は、必ずしもこれらの制御を実行する必要はなく、これらの制御のいずれか／全てについては適宜省略してもよい。
【０１４２】
（７−１１）変形例１Ｋ
コントローラ６０は、冷媒漏洩を検出後、所定時間ｔ１が経過すると、所定の室内ユニット３０のフラップ４５を、継続的に上下に回動させ上向吹出角度と下向吹出角度とを往復させることで、空気流ＡＦの吹出方向を、連続的に上下に変化（スイング）させていた。係る制御において、所定時間ｔ１は３ｍｉｎに設定されていたが、所定時間ｔ１は必ずしもこれに限定されず、適宜変更が可能である。例えば、所定時間ｔ１は、１ｍｉｎに設定されてもよいし１０ｍｉｎに設定されてもよい。
【０１４３】
また、コントローラ６０は、必ずしも係る制御を実行する必要はなく、適宜省略してもよい。
【０１４４】
（７−１２）変形例１Ｌ
上記実施形態では、冷媒漏洩が生じた際に、冷媒漏洩室内機において室内ファン３３が第１回転数で駆動され、冷媒漏洩室内機に関連する非常グループ室内機において室内ファン３３が第２回転数で駆動されていた。そして、第１回転数と第２回転数はともに、最大回転数（空気流ＡＦが最大風量となる回転数）に設定されていた。この点、漏洩冷媒を拡散する効果を高めるうえで、第１回転数と第２回転数はともに、最大回転数に設定されることが好ましい。
【０１４５】
しかし、第１回転数及び第２回転数は必ずしも最大回転数に設定される必要はなく、設置環境に応じて適宜変更が可能である。また、第１回転数及び第２回転数は必ずしも同一の回転数に設定される必要はなく、設置環境に応じて互いに異なる回転数に設定されてもよい。また、第１回転数及び第２回転数は、グルーピングテーブルＴＢ１等で、ユーザや管理者によって適宜定義されてもよい。
【０１４６】
（７−１３）変形例１Ｍ
上記実施形態では、対象空間ＳＰに設置される各室内ユニット３０（３０ａ、３０ｂ、３０ｃ）は、同一の非常グループ番号を定義されており、冷媒漏洩が生じた際に対象空間ＳＰに設置される全ての室内ユニット３０において室内ファン３３が駆動するように設定されていた。この点、漏洩冷媒を拡散する効果を高めるうえで、対象空間ＳＰに設置される全ての室内ユニット３０において、室内ファン３３を駆動することが好ましい。
【０１４７】
しかし、対象空間ＳＰに設置される全ての室内ユニット３０が、必ずしも同一の非常グループ番号を定義される必要はない。すなわち、冷媒漏洩が生じた際に、対象空間ＳＰに設置される全ての室内ユニット３０において、室内ファン３３が駆動される必要はない。例えば、上記実施形態において、室内ユニット３０ｃについては異なる非常グループ番号を定義されてもよい。
【０１４８】
係る場合においても、室内ユニット３０ａ及び室内ユニット３０ｂのうち、一方が冷媒漏洩室内機となるケースにおいては、他方が非常グループ室内機となり、複数の空気流ＡＦが生成される。よって、漏洩冷媒の拡散が促進され、本発明の効果を奏する。
【０１４９】
（７−１４）変形例１Ｎ
上記実施形態では、各室内ユニット３０は、同一の対象空間ＳＰに配置されていた。しかし、各室内ユニット３０は、必ずしも同一の対象空間ＳＰに配置される必要はなく、例えば図１０に示すように、異なる対象空間ＳＰに配置されてもよい。図１０では、室内ユニット３０ａは対象空間ＳＰ１に配置される一方で、室内ユニット３０ｂ及び３０ｃは対象空間ＳＰ２に配置されている。
【０１５０】
このように複数の室内ユニット３０が異なる対象空間ＳＰに配置される場合であっても、冷媒漏洩に対する保安性を高めることは可能である。
【０１５１】
つまり、例えば、図８に示すような態様でグルーピングテーブルＴＢ１が生成されている場合（すなわち、全ての室内ユニット３０が同一の非常グループ番号を定義されている場合）には、室内ユニット３０ａ、３０ｂ及び３０ｃのいずれかが冷媒漏洩室内機に該当した場合（すなわち、対象空間ＳＰ１及びＳＰ２のいずれかにおいて冷媒漏洩が生じた場合）に、全ての室内ユニット３０において室内ファン３３が駆動され、対象空間ＳＰ１及びＳＰ２の双方において空気流ＡＦが生成される。その結果、対象空間ＳＰ１及びＳＰ２のうち冷媒漏洩が生じた一方の空間から、他方の空間に漏洩冷媒が流入した場合であっても、双方の空間において、漏洩冷媒の拡散が促進され、漏洩冷媒の濃度が高まることが抑制される。よって、冷媒漏洩に対する保安性が向上する。
【０１５２】
〈第２実施形態〉
以下、本発明の第２実施形態に係る空調システム１００ａについて説明する。なお、第１実施形態と共通する部分については説明を省略する。また、以下の第２実施形態は、本発明の趣旨を逸脱しない範囲で適宜変更可能であり、矛盾が生じない範囲で第１実施形態において記載した事項及び各変形例を組み合わされて適用されてもよい。
【０１５３】
図１１は、空調システム１００ａの全体構成図である。空調システム１００ａでは、各室内ユニット３０の室内ユニット制御部３４において、切換部３４１が配置されている。切換部３４１は、冷媒漏洩信号を受信した際（すなわち冷媒漏洩が生じた際に）室内ファン３３を駆動させる他の室内ユニット３０、を決定するためのユニットである。切換部３４１は、図１２に示すようなスイッチＳＷ１を複数有している。
【０１５４】
各スイッチＳＷ１は、Low状態（遮断状態）とHigh状態（導通状態）とを機械的に切り換えられる。各スイッチＳＷ１は、いずれかの室内ユニット３０と１対１で対応付けられている。
【０１５５】
切換部３４１は、スイッチＳＷ１をHigh状態に切り換えられることで、冷媒漏洩信号を受信した場合に、冷媒漏洩が生じたことを通知すべき他の室内ユニット３０を決定する。
【０１５６】
空調システム１００ａでは、コントローラ６０は、冷媒漏洩が生じた際に、冷媒漏洩室内機（すなわち冷媒漏洩信号を受信した室内ユニット３０）において室内ファン３３が第１回転数で駆動するとともに、冷媒漏洩室内機から冷媒漏洩が生じたことを通知された室内ユニット３０において室内ファン３３が第２回転数で駆動するように制御が実行される。すなわち、空調システム１００ａでは、切換部３４１において各スイッチＳＷ１をユーザ等によって機械的に切り換えられることで、冷媒漏洩が生じた際に連動制御する（すなわち、室内ファン３３が駆動する）室内ユニット３０が決定される。換言すると、非常時（冷媒漏洩時）にグループ制御される室内ユニット３０が、切換部３４１を介してユーザ等によって決定される。これにより、冷媒漏洩時に室内ファン３３を駆動させる室内ユニット３０を、設置環境に応じて適宜選択することが可能となっている。
【０１５７】
なお、空調システム１００ａでは、グルーピングテーブルＴＢ１を生成するグループ設定部６３については適宜省略が可能である。
【０１５８】
また、切換部３４１においては、各スイッチＳＷ１に代えて、ジャンパピンを配置して、Low状態（遮断状態）とHigh状態（導通状態）とを切り換えるように構成してもよい。
【０１５９】
〈第３実施形態〉
以下、本発明の第３実施形態に係る空調システム１００ｂについて説明する。なお、第１実施形態と共通する部分については説明を省略する。また、以下の第３実施形態は、本発明の趣旨を逸脱しない範囲で適宜変更可能であり、矛盾が生じない範囲で第１実施形態及び第２実施形態において記載した事項及び各変形例を組み合わされて適用されてもよい。
【０１６０】
図１３は、空調システム１００ｂの全体構成図である。空調システム１００ｂは、複数の室外ユニット１０（１０ａ、１０ｂ）を有している。空調システム１００ｂでは、複数の冷媒回路ＲＣ（ＲＣ１、ＲＣ２）が構成されている。
【０１６１】
具体的に、室外ユニット１０ａと、室内ユニット３０ａ及び３０ｂと、がガス連絡配管ＧＰ１及び液連絡配管ＬＰ１を介して接続されることで冷媒回路ＲＣ１が構成されている。また、室外ユニット１０ｂと、室内ユニット３０ｃと、がガス連絡配管ＧＰ２及び液連絡配管ＬＰ２を介して接続されることで冷媒回路ＲＣ２が構成されている。すなわち、空調システム１００ｂでは、室内ユニット３０ａ及び３０ｂと、室内ユニット３０ｃとは、異なる冷媒系統に接続されている。
【０１６２】
空調システム１００ｂのように複数の冷媒系統が構成される場合であっても、冷媒漏洩室内機に関連する非常グループ室内機（すなわち、グルーピングテーブルＴＢ１において冷媒漏洩室内機と同一の非常グループ番号を定義された室内ユニット３０）においては、冷媒漏洩が生じた際、冷媒漏洩室内機と冷媒系統が共通するか否かに関わらず、冷媒漏洩室内機に連動して室内ファン３３が駆動する。
【０１６３】
すなわち、複数の冷媒系統を有する空調システム１００ｂにおいても、対象空間ＳＰにおいて冷媒漏洩が生じた場合には、複数の空気流ＡＦが生成され、生成された複数の空気流ＡＦによって漏洩冷媒の拡散が促進されるようになっている。よって、対象空間ＳＰの特定部分において漏洩冷媒の濃度が高まることが抑制され、冷媒漏洩に対する保安性が確保されている。
【０１６４】
ここで、空調システム１００ｂにおいては、室内ユニット３０ａ、３０ｂ、及び３０ｃのいずれも冷媒漏洩室内機となりうる。すなわち、室内ユニット３０ａ、３０ｂ、及び３０ｃのいずれもが、特許請求の範囲記載の「第１室内機」に相当する。また、室外ユニット１０ａ及び１０ｂの一方が、特許請求の範囲記載の「第１室外機」及び「第２室外機」のいずれかに相当する。また、ガス連絡配管ＧＰ１及び液連絡配管ＬＰ１、又はガス連絡配管ＧＰ２及び液連絡配管ＬＰ２の一方が、特許請求の範囲記載の「第１冷媒連絡配管」及び「第２冷媒連絡配管」のいずれかに相当する。また、冷媒回路ＲＣ１及びＲＣ２の一方が、特許請求の範囲記載の「第１冷媒回路」及び「第２冷媒回路」のいずれかに相当する。
【０１６５】
なお、冷媒回路ＲＣ１又はＲＣ２において、他の室内ユニット３０をさらに接続してもよい。また、冷媒回路ＲＣ１において、室内ユニット３０ａ及び３０ｃの一方を省略してもよい。
【０１６６】
〈第４実施形態〉
以下、本発明の第４実施形態に係る空調システム１００ｃについて説明する。なお、第１実施形態と共通する部分については説明を省略する。また、以下の第４実施形態は、本発明の趣旨を逸脱しない範囲で適宜変更可能であり、矛盾が生じない範囲で第１実施形態、第２実施形態、及び第３実施形態において記載した事項及び各変形例を組み合わされて適用されてもよい。
【０１６７】
（１）空調システム１００ｃ
図１４は、空調システム１００ｃの全体構成図である。空調システム１００ｃは、空調ユニットＡＣ１と、換気装置７５と、空気清浄機８０と、除湿機９０と、を有している。また、空調システム１００ｃは、各部（ＡＣ１、７５、８０、９０）の動作を制御するコントローラ６０ａを有している。
【０１６８】
（１−１）空調ユニットＡＣ１
空調ユニットＡＣ１は、空調システム１００と略同一に構成される。但し、空調ユニットＡＣ１では、室内ユニット３０ｂ及び３０ｃが省略されており、室外ユニット１０と室内ユニット３０ａによって冷媒回路ＲＣ´が構成されている。また、空調ユニットＡＣ１では、室外ユニット制御部１７及び室内ユニット制御部３４は、後述の換気装置制御部７７、空気清浄機制御部８２、及び除湿機制御部９６と、通信線で接続され、これらと信号の送受信を行えるように構成されている。
【０１６９】
（１−２）換気装置７５
換気装置７５は、対象空間ＳＰに設置されて、給気又は排気を行うことで対象空間ＳＰの換気（空気調和）を実現する装置である。すなわち、換気装置７５は、対象空間ＳＰに設置される「空調室内機」に相当する。換気装置７５は、対象空間ＳＰの天井Ｃ１、側壁Ｗ１、又は床面Ｆ１等に埋め込まれて設置され、外部空間と連通するダクト等と接続されている。換気装置７５は、給気用又は排気用の空気流（換気用空気流）を生成する換気ファン７６と、換気ファン７６を駆動させる換気ファンモータ７６ａと、換気ファン７６（換気ファンモータ７６ａ）の発停及び回転数（風量）を制御する換気装置制御部７７と、を有している。
【０１７０】
（１−３）空気清浄機８０
空気清浄機８０は、対象空間ＳＰに設置されて、空気を取込んで塵埃を取り除いて排出することで対象空間ＳＰの空気清浄（空気調和）を実現する。すなわち、空気清浄機８０は、対象空間ＳＰに設置される「空調室内機」に相当する。空気清浄機８０は、例えば床面Ｆ１等に設置される床置型である。空気清浄機８０は、集塵フィルタ（図示省略）と、空気清浄用の空気流（空気清浄用空気流）を生成する空気清浄機ファン８１と、空気清浄機ファン８１を駆動させる空気清浄機ファンモータ８１ａと、空気清浄機ファン８１（空気清浄機ファンモータ８１ａ）の発停及び回転数（風量）を制御する空気清浄機制御部８２と、を有している。
【０１７１】
（１−４）除湿機９０
除湿機９０は、対象空間ＳＰに設置されて、空気を取込んで除湿して排出することで対象空間ＳＰの除湿（空気調和）を実現する。すなわち、除湿機９０は、対象空間ＳＰに設置される「空調室内機」に相当する。除湿機９０は、例えば床面Ｆ１等に設置される床置型である。除湿機９０では、冷媒回路ＲＣａが構成されている。
【０１７２】
除湿機９０は、冷媒回路ＲＣａの構成要素として、主として、除湿機用圧縮機９１と、冷媒の凝縮器９２と、冷媒の減圧手段としてのキャピラリチューブ９３と、冷媒の蒸発器９４と、を有している。また、除湿機９０は、除湿機ファン９５と、除湿機ファン９５を駆動させる除湿機ファンモータ９５ａと、除湿機制御部９６と、を有している。
【０１７３】
除湿機ファン９５は、対象空間ＳＰから流入し蒸発器９４及び凝縮器９２を通過してから対象空間ＳＰに流出する空気流（除湿用空気流）を生成する送風機である。除湿機制御部９６は、除湿機用圧縮機９１（除湿機用圧縮機モータ９１ａ）及び除湿機ファン９５（除湿機ファンモータ９５ａ）の発停及び回転数（風量）を制御する。
【０１７４】
（１−５）コントローラ６０ａ
図１５は、コントローラ６０ａの構成と、コントローラ６０ａに接続される機器を概略的に示したブロック図である。コントローラ６０ａは、室外ユニット制御部１７、室内ユニット制御部３４、換気装置制御部７７、空気清浄機制御部８２、及び除湿機制御部９６が通信線で接続されることによって構成されている。なお、コントローラ６０ａは、コントローラ６０と共通する部分が大きいので、以下においては、コントローラ６０と相違する部分を説明する。
【０１７５】
コントローラ６０ａは、換気ファンモータ７６ａ、空気清浄機ファンモータ８１ａ、除湿機用圧縮機モータ９１ａ、及び除湿機ファンモータ９５ａとも電気的に接続されている。また、コントローラ６０ａにおいては、例えば図１６に示すような態様のグルーピングテーブルＴＢ２が、グループ設定部６３によって生成され記憶部６１に記憶される。また、コントローラ６０ａは、第２室内制御部６９及び第３室内制御部７０に代えて、第４室内制御部７２と、第５室内制御部７３と、第６室内制御部７４と、を含んでいる。
【０１７６】
（１−５−１）グルーピングテーブルＴＢ２
グルーピングテーブルＴＢ２では、グルーピングテーブルＴＢ１と同様、空調室内機毎に、各変数（「ユニット番号」、「グループ番号」、及び「非常グループ番号」）の値が定義されている。
【０１７７】
図１６に示すグルーピングテーブルＴＢ２では、室内ユニット３０ａは、空調室内機であることを特定するユニット番号の値（「１」）が定義され、所属するグループ番号の値が「１」と定義され、非常グループ番号の値が「５」と定義されている。また、換気装置７５は、換気装置であることを特定するユニット番号の値（「２」）が定義され、所属するグループ番号の値が「２」と定義され、非常グループ番号の値が室内ユニット３０ａと同様に「５」と定義されている。また、空気清浄機８０は、空気清浄機であることを特定するユニット番号の値（「３」）が定義され、所属するグループ番号の値が「３」と定義され、非常グループ番号の値が室内ユニット３０ａと同様に「５」と定義されている。また、除湿機９０は除湿機であることを特定するユニット番号の値（「４」）が定義され、所属するグループ番号の値が「４」と定義され、非常グループ番号の値が室内ユニット３０ａと同様に「５」と定義されている。
【０１７８】
（１−５−２）第４室内制御部７２、第５室内制御部７３、第６室内制御部７４
第４室内制御部７２、第５室内制御部７３、及び第６室内制御部７４は、対応する空調室内機（７５、８０、又は９０）の動作を制御する機能部である。具体的に、第４室内制御部７２は換気装置７５に対応し、第５室内制御部７３は空気清浄機８０に対応し、第６室内制御部７４は除湿機９０に対応している。
【０１７９】
第４室内制御部７２、第５室内制御部７３、及び第６室内制御部７４は、コマンド判別フラグＦＬ１、状況判別フラグＦＬ３、及びグルーピングテーブルＴＢ１を適宜参照し、コマンド情報に基づいて、対応する空調室内機における各アクチュエータ（換気ファン７６（換気ファンモータ７６ａ）、空気清浄機ファン８１（空気清浄機ファンモータ８１ａ）、除湿機用圧縮機９１（除湿機用圧縮機モータ９１ａ）、又は除湿機ファン９５（除湿機ファンモータ９５ａ）の動作を、状況に応じて制御する。
【０１８０】
例えば、第４室内制御部７２、第５室内制御部７３、及び第６室内制御部７４は、リモコン５０等を介して、対応する空調室内機に関するコマンドが入力されると、コマンド情報に基づいて各アクチュエータを動作させる。
【０１８１】
また、第４室内制御部７２、第５室内制御部７３、及び第６室内制御部７４は、同一のグループに所属している（すなわち、グループ番号が同一の）他の空調室内機が運転状態になると、対応する空調室内機を動作させる。これにより、グループが共通する複数の空調室内機のうち、いずれかの空調室内機に対して運転開始コマンドが入力された場合、他の空調室内機も運転状態となり、連動制御が実現される。
【０１８２】
また、第４室内制御部７２、第５室内制御部７３、及び第６室内制御部７４は、冷媒漏洩判別フラグＦＬ２の対応するビットが立てられると（すなわち、対応する空調室内機に冷媒漏洩センサ５５から冷媒漏洩信号が送信されると）、送風機（７６、８１、又は９５）を第１回転数で駆動させる。
【０１８３】
また、第４室内制御部７２、第５室内制御部７３、及び第６室内制御部７４は、冷媒漏洩判別フラグＦＬ２の他のビットが立てられた場合（すなわち、対応する空調室内機以外の空調室内機に冷媒漏洩センサ５５から冷媒漏洩信号が送信された場合）には、グルーピングテーブルＴＢ２を参照し、当該冷媒漏洩信号が非常グループ番号の共通する空調室内機に対して送信されたものである時には、送風機（７６、８１、又は９５）を第２回転数で駆動させる。
【０１８４】
これにより、空調システム１００ｃでは、非常グループ番号が共通する複数の空調室内機（３０ａ、７５、８０、９０）のうち、いずれかの空調室内機に対して冷媒漏洩センサ５５から冷媒漏洩信号が送信された場合、当該空調室内機における送風機（３３ａ、７６、８１、又は９５）が第１回転数で駆動するのに加えて、他の空調室内機における送風機が第２回転数で駆動する。本実施形態においては、室内ユニット３０ａ、換気装置７５、空気清浄機８０及び除湿機９０のいずれも、非常グループ番号が同一であるため、いずれかの空調室内機に対して冷媒漏洩センサ５５から冷媒漏洩信号が送信された場合、全ての空調室内機において送風機が駆動する。すなわち、対象空間ＳＰにおいて冷媒漏洩が生じた場合には、各空調室内機において空気流が生成されるようになっている。
【０１８５】
なお、本実施形態においては、第１回転数及び第２回転数のいずれも、最大回転数（空気流ＡＦ、換気用空気流、空気清浄用空気流、又は除湿用空気流の風量が最大になる回転数）に設定されている。
【０１８６】
（２）特徴
空調システム１００ｃでは、対象空間ＳＰにおいて冷媒漏洩が生じた場合には、各空調室内機において、送風機が所定の回転数で駆動されるように構成されている。その結果、冷媒漏洩が生じた場合には、複数の空気流が生成され、生成された複数の空気流によって漏洩冷媒が拡散されるようになっている。よって、対象空間ＳＰにおいて漏洩冷媒の拡散が促進され、対象空間ＳＰの一部において漏洩冷媒が滞留することが抑制されている。すなわち、対象空間ＳＰの特定部分において漏洩冷媒の濃度が高まることが抑制されている。したがって、冷媒漏洩に対する保安性が確保されている。
【０１８７】
なお、空調システム１００ｃにおいては、室内ユニット３０ａ、換気装置７５、空気清浄機８０、及び除湿機９０のいずれも冷媒漏洩室内機となりうる。すなわち、室内ユニット３０ａ、換気装置７５、空気清浄機８０、及び除湿機９０のいずれもが、特許請求の範囲記載の「第１室内機」に相当する。
【０１８８】
（３）変形例
上記第４実施形態は、以下の変形例に示すように適宜変形が可能である。なお、各変形例は、矛盾が生じない範囲で他の変形例と組み合わせて適用されてもよい。
【０１８９】
（３−１）変形例４Ａ
空調システム１００ｃは、空調室内機として、室内ユニット３０ａとは別に換気装置７５、空気清浄機８０、及び除湿機９０を有していた。しかし、空調システム１００ｃは、必ずしも空調室内機として、換気装置７５、空気清浄機８０、及び除湿機９０を有している必要はなく、これらのいずれかについては適宜省略が可能である。また、空調システム１００ｃは、空調室内機として、送風機を有する他の空調室内機（例えばサーキュレータ等）を有していてもよい。
【０１９０】
（３−２）変形例４Ｂ
空調システム１００ｃでは、冷媒漏洩センサ５５は室内ユニット制御部３４のみに接続されていたが、換気装置制御部７７、空気清浄機制御部８２、除湿機制御部９６のいずれか／全てにも接続されて、接続先の空調室内機に対して冷媒漏洩信号を送信するように構成してもよい。
【０１９１】
（３−３）変形例４Ｃ
空調システム１００ｃでは、全ての空調室内機が同一の非常グループ番号を定義され、冷媒漏洩が生じた際に連動制御されていたが、必ずしも全ての空調室内機が同一の非常グループ番号を定義される必要はなく、設置環境に応じて適宜変更を行うことは可能である。
【産業上の利用可能性】
【０１９２】
本発明は、空調システムに適用可能である。
【符号の説明】
【０１９３】
１０      ：室外ユニット（室外機）
１０ａ、１０ｂ  ：室外ユニット（第１室外機、第２室外機）
１３      ：室外熱交換器
１７      ：室外ユニット制御部
３０、３０ａ、３０ｂ、３０ｃ  ：室内ユニット（空調室内機、第１室内機）
３３      ：室内ファン（送風機）
３３ａ    ：室内ファンモータ
３４      ：室内ユニット制御部
４５      ：フラップ
５０      ：リモコン
５５      ：冷媒漏洩センサ
５８      ：冷媒漏洩報知部
６０、６０ａ  ：コントローラ
７５      ：換気装置（空調室内機、第１室内機）
７６      ：換気ファン（送風機）
７６ａ    ：換気ファンモータ
７７      ：換気装置制御部
８０      ：空気清浄機（空調室内機、第１室内機）
８１      ：空気清浄機ファン（送風機）
８１ａ    ：空気清浄機ファンモータ
８２      ：空気清浄機制御部
９０      ：除湿機（空調室内機、第１室内機）
９５      ：除湿機ファン（送風機）
９５ａ    ：除湿機ファンモータ
９６      ：除湿機制御部
１００、１００ａ、１００ｂ、１００ｃ  ：空調システム
３４１    ：切換部
ＡＣ１    ：空調ユニット
ＡＦ      ：空気流
ＦＬ１    ：コマンド判別フラグ
ＦＬ２    ：冷媒漏洩判別フラグ
ＦＬ３    ：状況判別フラグ
ＧＰ    ：ガス連絡配管
ＬＰ    ：液連絡配管
ＧＰ１、ＧＰ２  ：ガス連絡配管（第１冷媒連絡配管、第２冷媒連絡配管）
ＬＰ１、ＬＰ２  ：液連絡配管（第１冷媒連絡配管、第２冷媒連絡配管）
ＲＣ、ＲＣ´  ：冷媒回路
ＲＣ１、ＲＣ２  ：冷媒回路（第１冷媒回路、第２冷媒回路）
ＳＰ、ＳＰ１、ＳＰ２  ：対象空間
ＳＷ１    ：スイッチ
ＴＢ１、ＴＢ２  ：グルーピングテーブル
ｃｂ１    ：通信線
【先行技術文献】
【特許文献】
【０１９４】
【特許文献１】特開２０１２−１３３４８号公報
【図１】
0006613734.tif 000002
【図２】
0006613734.tif 000003
【図３】
0006613734.tif 000004
【図４】
0006613734.tif 000005
【図５】
0006613734.tif 000006
【図６】
0006613734.tif 000007
【図７】
0006613734.tif 000008
【図８】
0006613734.tif 000009
【図９】
0006613734.tif 000010
【図１０】
0006613734.tif 000011
【図１１】
0006613734.tif 000012
【図１２】
0006613734.tif 000013
【図１３】
0006613734.tif 000014
【図１４】
0006613734.tif 000015
【図１５】
0006613734.tif 000016
【図１６】
0006613734.tif 000017